(57)【要約】    【課題】コントロール性能、飛行性能及び耐擦傷性能に優れたゴルフボール２の提供。    【解決手段】ゴルフボール２は、コア４、中間層５及びカバー６を備えている。中間層５は、５０以上７０以下の硬度と、０．８ｍｍ以上の厚みとを備えている。カバー６は、５７未満の硬度と、１．５ｍｍ未満の厚みとを備えている。ゴルフボール２は、その表面に多数のダブルラジアスディンプルと多数のトリプルラジアスディンプルとを備えている。ダブルラジアスディンプルの比率は２０％以上４２％以下であり、トリプルラジアスディンプルの比率は５０％以上である。カバー６の厚みＴｃに対する中間層５の厚みＴｍの比（Ｔｍ／Ｔｃ）は、０．５以上４．０以下である。【選択図】図１
2006187476.tif 000002
【特許請求の範囲】
【請求項１】
コア、中間層及びカバーを備えており、
この中間層が、５０以上７０以下の硬度と、０．８ｍｍ以上の厚みとを備えており、
このカバーが５７未満の硬度と、１．５ｍｍ未満の厚みとを備えており、
その表面に多数のダブルラジアスディンプルと多数のトリプルラジアスディンプルとを備えており、
このダブルラジアスディンプルが、曲率半径Ｒ１を備えた第一側壁面と、この曲率半径Ｒ１の５倍以上５５倍以下である曲率半径Ｒ２を備え第一側壁面よりもボトム側に位置するボトム面とを備えており、
このトリプルラジアスディンプルが、仮想曲率半径Ｒｘと同一であるか又はそれよりも大きな曲率半径Ｒ１を備えた第一側壁面と、この第一側壁面よりもボトム側に位置して仮想曲率半径Ｒｘよりも小さな曲率半径Ｒ２を備えた第二側壁面と、この第二側壁面よりもボトム側に位置して仮想曲率半径Ｒｘと同一であるか又はそれよりも大きな曲率半径Ｒ３を備えたボトム面とを備えており、
ディンプルの総数に対するダブルラジアスディンプルの数の比率が２０％以上４２％以下であり、
ディンプルの総数に対するトリプルラジアスディンプルの数の比率が５０％以上であるゴルフボール。
【請求項２】
上記ダブルラジアスディンプルにおいて、第一側壁面の深さがディンプルの深さの０．２０倍以上０．７０倍以下である請求項１に記載のゴルフボール。
【請求項３】
上記ダブルラジアスディンプルにおいて、ボトム面の最大直径がディンプルの直径の０．６０倍以上０．９５倍以下である請求項１又は２に記載のゴルフボール。
【請求項４】
上記トリプルラジアスディンプルにおいて、第一側壁面の深さがディンプルの深さの０．１０倍以上０．５０倍以下である請求項１から３のいずれかに記載のゴルフボール。
【請求項５】
上記トリプルラジアスディンプルにおいて、第二側壁面の最大直径がディンプルの直径の０．６０倍以上０．９５倍以下である請求項１から４のいずれかに記載のゴルフボール。
【請求項６】
上記ダブルラジアスディンプルの第一側壁面及びボトム面並びにトリプルラジアスディンプルの第一側壁面、第二側壁面及びボトム面が下向きに凸である請求項１から５のいずれかに記載のゴルフボール。
【請求項７】
上記カバーの厚みＴｃに対する中間層の厚みＴｍの比（Ｔｍ／Ｔｃ）が０．５以上４．０以下である請求項１から６のいずれかに記載のゴルフボール。
【発明の詳細な説明】
【技術分野】
【０００１】
本発明は、ゴルフボールに関する。詳細には、本発明は、コア、中間層及びカバーを備えたソリッドゴルフボールに関する。
【背景技術】
【０００２】
ゴルフボールは、その表面に多数のディンプルを備えている。一般的にゴルフボールは、単一の曲率半径を有する断面形状を備えたシングルラジアスディンプルか、２つの曲率半径を有する断面形状を備えたダブルラジアスディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点との差が助長され、ゴルフボールに作用する揚力が高められる。このようなディンプルの役割は、「ディンプル効果」と称されている。優れたディンプルは、よりよく空気の流れを乱す。
【０００３】
飛行性能向上を目的とした、ディンプルに関する種々の提案がなされている。特開平５−９６０２６号公報には、エッジ近傍のスロープが底部のスロープよりも急傾斜である形状を備えたディンプルが開示されている。特開平９−７０４４９号公報には、断面形状がダブルラジアスから構成されるディンプルが開示されている。特開２００４−１６６７２５公報には、エッジ近傍の曲率半径に対する底部の曲率半径の比が大きなディンプルが開示されている。
【０００４】
ゴルフボールにとって、飛行性能とともに、コントロール性能も重要である。コントロール性能は、スピン性能と相関する。バックスピンの速度が大きいと、ラン（ゴルフボールが落下した地点から静止した地点までの距離）が小さい。ゴルファーにとって、バックスピンのかかりやすいゴルフボールは、目標地点に静止させやすい。サイドスピンの速度が大きいと、ゴルフボールは曲がりやすい。ゴルファーにとって、サイドスピンのかかりやすいゴルフボールは、意図的に曲げやすい。上級ゴルファーは、特にアイアンショットでのコントロール性能を重視する。軟質なカバーは、コントロール性能に寄与する。特開平９−２３９０６８号公報及び特開平１０−１５１２２６号公報には、軟質なカバーを備えたゴルフボールが開示されている。
【０００５】
軟質なカバーと特殊なディンプルとの組み合わせについても、提案がなされている。特開２００１−５４５８８公報には、軟質なカバーを備え、かつディンプルの体積に関する改良がなされたゴルフボールが開示されている。特開２００２−３５５３４２公報には、軟質なカバーを備え、かつディンプルの輪郭長さに関する改良がなされたゴルフボールが開示されている。
【特許文献１】特開平５−９６０２６号公報
【特許文献２】特開平９−７０４４９号公報
【特許文献３】特開２００４−１６６７２５公報
【特許文献４】特開平９−２３９０６８号公報
【特許文献５】特開平１０−１５１２２６号公報
【特許文献６】特開２００１−５４５８８公報
【特許文献７】特開２００２−３５５３４２公報
【発明の開示】
【発明が解決しようとする課題】
【０００６】
軟質カバーが用いられたゴルフボールがドライバー（Ｗ＃１）で打撃されると、過大なスピンによってゴルフボールがホップすることがある。ホップしたゴルフボールの飛距離は、十分ではない。
【０００７】
ゴルフボールがショートアイアンで打撃されると、その表面が削られることがある。特にダブルラジアスディンプルを備えたゴルフボールの場合、応力集中に起因して、ディンプルの周縁が削られやすい。ディンプルには、耐擦傷性の点で改良の余地がある。
【０００８】
本発明の目的は、コントロール性能、飛行性能及び耐擦傷性能に優れたゴルフボールの提供にある。
【課題を解決するための手段】
【０００９】
本発明に係るゴルフボールは、コア、中間層及びカバーを備える。この中間層は、５０以上７０以下の硬度と、０．８ｍｍ以上の厚みとを備える。このカバーは、５７未満の硬度と、１．５ｍｍ未満の厚みとを備える。このゴルフボールは、その表面に多数のダブルラジアスディンプルと、多数のトリプルラジアスディンプルとを備える。このダブルラジアスディンプルは、曲率半径Ｒ１を備えた第一側壁面と、この曲率半径Ｒ１の５倍以上５５倍以下である曲率半径Ｒ２を備え第一側壁面よりもボトム側に位置するボトム面とを備える。このトリプルラジアスディンプルは、仮想曲率半径Ｒｘと同一であるか又はそれよりも大きな曲率半径Ｒ１を備えた第一側壁面と、この第一側壁面よりもボトム側に位置して仮想曲率半径Ｒｘよりも小さな曲率半径Ｒ２を備えた第二側壁面と、この第二側壁面よりもボトム側に位置して仮想曲率半径Ｒｘと同一であるか又はそれよりも大きな曲率半径Ｒ３を備えたボトム面とを備える。ディンプルの総数に対するダブルラジアスディンプルの数の比率は、２０％以上４２％以下である。ディンプルの総数に対するトリプルラジアスディンプルの数の比率は、５０％以上である。
【００１０】
好ましくは、ダブルラジアスディンプルにおいて、第一側壁面の深さはディンプルの深さの０．２０倍以上０．７０倍以下である。好ましくは、ダブルラジアスディンプルにおいて、ボトム面の最大直径はディンプルの直径の０．６０倍以上０．９５倍以下である。
【００１１】
好ましくは、トリプルラジアスディンプルにおいて、第一側壁面の深さはディンプルの深さの０．１０倍以上０．５０倍以下である。好ましくは、トリプルラジアスディンプルにおいて、第二側壁面の最大直径はディンプルの直径の０．６０倍以上０．９５倍以下である。
【００１２】
好ましくは、ダブルラジアスディンプルの第一側壁面及びボトム面並びにトリプルラジアスディンプルの第一側壁面、第二側壁面及びボトム面は、下向きに凸である。
【００１３】
好ましくは、カバーの厚みＴｃに対する中間層の厚みＴｍの比（Ｔｍ／Ｔｃ）は、０．５以上４．０以下である。
【発明の効果】
【００１４】
このゴルフボールは、軟質なカバーを備えるので、コントロール性能に優れる。このゴルフボールでは、ダブルラジアスディンプルとトリプルラジアスディンプルとの混在により、ゴルフボールの空力特性が高められる。トリプルラジアスディンプルは、耐擦傷性能にも寄与する。このゴルフボールは、コントロール性能、飛行性能及び耐擦傷性能のすべてにおいて優れる。
【発明を実施するための最良の形態】
【００１５】
以下、適宜図面が参照されつつ、好ましい実施形態に基づいて本発明が詳細に説明される。
【００１６】
図１は、本発明の一実施形態に係るゴルフボール２が示された模式的断面図である。このゴルフボール２は、球状のコア４と、このコア４を覆う中間層５と、この中間層５を覆うカバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。ゴルフボールが、コア４と中間層５との間に他の層を備えてもよい。ゴルフボールが、中間層５とカバー６との間に他の層を備えてもよい。
【００１７】
本明細書においてカバー６とは、ペイント層及びマーク層を除く最外層を意味する。カバーが２層構造であると称されるゴルフボールも存在するが、この場合は、外側の層が本明細書におけるカバー６に相当する。
【００１８】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１９】
コア４は、ゴム組成物が架橋されることで得られる。コア４の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましい。ポリブタジエンと他のゴムとが併用される場合は、ポリブタジエンが主成分とされるのが好ましい。具体的には、全基材ゴムに対するポリブタジエンの比率は５０質量％以上が好ましく、８０質量％以上がより好ましい。シス−１，４結合の比率が８０％以上であるハイシスポリブタジエンが、特に好ましい。
【００２０】
コア４の架橋には、共架橋剤が用いられる。反発性能の観点から好ましい共架橋剤は、炭素数が２から８であるα，β−不飽和カルボン酸の、１価又は２価の金属塩である。好ましい共架橋剤の具体例としては、アクリル酸亜鉛、アクリル酸マグネシウム、メタクリル酸亜鉛及びメタクリル酸マグネシウムが挙げられる。高い反発性能が得られるという理由から、アクリル酸亜鉛及びメタクリル酸亜鉛が特に好ましい。
【００２１】
共架橋剤として、炭素数が２から８であるα，β−不飽和カルボン酸と金属酸化物とが配合されてもよい。両者はゴム組成物中で反応し、塩が得られる。この塩が、共架橋剤として機能する。好ましいα，β−不飽和カルボン酸としてはアクリル酸及びメタクリル酸が挙げられ、特にアクリル酸が好ましい。好ましい金属酸化物としては酸化亜鉛及び酸化マグネシウムが挙げられ、特に酸化亜鉛が好ましい。
【００２２】
ゴルフボール２の反発性能の観点から、共架橋剤の配合量は、基材ゴム１００質量部に対して１０質量部以上が好ましく、１５質量部以上がより好ましい。ソフトな打球感の観点から、共架橋剤の配合量は、基材ゴム１００質量部に対して５０質量部以下が好ましく、４５質量部以下がより好ましい。
【００２３】
コア４には、共架橋剤と共に有機過酸化物が配合されるのが好ましい。有機過酸化物は、架橋反応に寄与する。有機過酸化物の配合により、ゴルフボール２の反発性能が高まる。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。特に汎用性の高い有機過酸化物は、ジクミルパーオキサイドである。
【００２４】
ゴルフボール２の反発性能の観点から、有機過酸化物の配合量は、基材ゴム１００質量部に対して０．１質量部以上が好ましく、０．３質量部以上がより好ましく、０．５質量部以上が特に好ましい。ソフトな打球感の観点から、有機過酸化物の配合量は、基材ゴム１００質量部に対して３．０質量部以下が好ましく、２．８質量部以下がより好ましく、２．５質量部以下が特に好ましい。
【００２５】
コア４には、有機硫黄化合物（塩を含む）が配合されるのが好ましい。有機硫黄化合物は、ゴルフボール２の反発性能に寄与する。好ましい有機硫黄化合物として、ジフェニルジスルフィド及びビス（ペンタブロモフェニル）ジスルフィドが例示される。
【００２６】
ゴルフボール２の反発性能の観点から、有機硫黄化合物の配合量は、基材ゴム１００質量部に対して０．１質量部以上が好ましく、０．２質量部以上がより好ましく、０．３質量部以上が特に好ましい。ソフトな打球感の観点から、有機硫黄化合物の配合量は、基材ゴム１００質量部に対して５．０質量部以下が好ましく、３．０質量部以下がより好ましく、２．０質量部以下が特に好ましい。
【００２７】
比重調整等の目的で、コア４に充填剤が配合されてもよい。好適な充填剤としては、酸化亜鉛、硫酸バリウム、炭酸カルシウム及び炭酸マグネシウムが例示される。充填剤として、高比重金属からなる粉末が配合されてもよい。高比重金属の具体例としては、タングステン及びモリブデンが挙げられる。充填剤の配合量は、コア４の意図した比重が達成されるように適宜決定される。特に好ましい充填剤は、酸化亜鉛である。酸化亜鉛は、架橋助剤としても機能する。コア４には、老化防止剤、着色剤、可塑剤、分散剤等の各種添加剤が、必要に応じて適量配合される。コア４に、架橋ゴム粉末又は合成樹脂粉末が配合されてもよい。
【００２８】
ゴルフボール２の打球感の観点から、コア４の圧縮変形量は１．５ｍｍ以上が好ましく、２．０ｍｍ以上が特に好ましい。ゴルフボール２の反発性能の観点から、コア４の圧縮変形量は、５．０ｍｍ以下が好ましく、４．５ｍｍ以下がより好ましく、４．０ｍｍ以下が特に好ましい。圧縮変形量の測定では、まずコア４が金属製の剛板の上に置かれる。次に、コア４に向かって金属製の円柱が徐々に降下する。この円柱の底面と剛板との間に挟まれたコア４は、変形する。コア４に９８Ｎの初荷重がかかった状態から１２７４Ｎの終荷重がかかった状態までの円柱の移動距離が、圧縮変形量である。
【００２９】
ゴルフボール２の反発性能の観点から、コア４の表面硬度は５０以上が好ましく、５５以上がより好ましい。ゴルフボール２の打球感及びスピン抑制の観点から、コア４の表面硬度は７５以下が好ましく、７０以下がより好ましい。表面硬度の測定には、ショアＤ型スプリング式硬度計が取り付けられた自動ゴム硬度測定器（高分子計器社の商品名「Ｐ１」）が用いられる。この硬度計が、コアの表面に押しつけられる。
【００３０】
コア４の直径は、３６．０ｍｍ以上４１．０ｍｍ以下が好ましい。コア４の質量は、２５ｇ以上４２ｇ以下が好ましい。コア４の架橋温度は、通常は１４０℃以上１８０℃以下である。コア４の架橋時間は、通常は１０分以上６０分以下である。コア４が２以上の層から形成されてもよい。コアと中間層との間に、樹脂組成物又はゴム組成物からなる他の層が設けられてもよい。
【００３１】
中間層５は、熱可塑性樹脂組成物からなる。この樹脂組成物の基材ポリマーは、アイオノマー樹脂である。アイオノマー樹脂は、高弾性である。後述されるように、このゴルフボール２のカバー６は薄い。このゴルフボール２がドライバーで打撃されると、カバー６とともに中間層５が大きく変形する。アイオノマー樹脂が用いられた中間層５は、ドライバーでのショットにおける飛行性能に寄与する。
【００３２】
好ましくは、α−オレフィンと炭素数が３以上８以下のα，β−不飽和カルボン酸との共重合体におけるカルボン酸の一部が金属イオンで中和されたアイオノマー樹脂が用いられる。好ましいα−オレフィンは、エチレン及びプロピレンである。好ましいα，β−不飽和カルボン酸は、アクリル酸及びメタクリル酸である。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００３３】
エチレン−（メタ）アクリル酸共重合体系アイオノマー樹脂が、特に好ましい。エチレン−（メタ）アクリル酸共重合体系アイオノマー樹脂は、エチレンと、アクリル酸又はメタクリル酸とが共重合されることで得られる。このアイオノマー樹脂は、通常は７０質量％以上９５質量％以下のエチレン成分と、５質量％以上３０質量％以下のアクリル酸成分又はメタクリル酸成分とを含有する。
【００３４】
アイオノマー樹脂の具体例としては、三井デュポンポリケミカル社の商品名「ハイミラン１５５５」、「ハイミラン１５５７」、「ハイミラン１６０５」、「ハイミラン１７０６」、「ハイミラン１７０７」、「ハイミランＡＭ７３１１」、「ハイミランＡＭ７３１５」、「ハイミランＡＭ７３１７」、「ハイミランＡＭ７３１８」及び「ハイミランＭＫ７３２０」；デュポン社の商品名「サーリン７９３０」、「サーリン７９４０」、「サーリン８１４０」、「サーリン８９４０」、「サーリン８９４５」、「サーリン９１２０」、「サーリン９９１０」及び「サーリン９９４５」；並びにエクソン社の商品名「ＩＯＴＥＫ７０１０」、「ＩＯＴＥＫ７０３０」、「ＩＯＴＥＫ８０００」及び「ＩＯＴＥＫ８０３０」が挙げられる。
【００３５】
基材ポリマーとして、アイオノマー樹脂に代えて、又はアイオノマー樹脂と共に、他の樹脂が用いられてもよい。他の樹脂としては、スチレンブロック含有熱可塑性エラストマー、熱可塑性ポリウレタンエラストマー、熱可塑性ポリアミドエラストマー、熱可塑性ポリエステルエラストマー及び熱可塑性ポリオレフィンエラストマーが例示される。アイオノマー樹脂と他の樹脂とが併用される場合、飛行性能の観点から、アイオノマー樹脂が基材ポリマーの主成分とされる。全基材ポリマーに占めるアイオノマー樹脂の比率は６０質量％以上が好ましく、７０質量％以上がより好ましい。
【００３６】
スチレンブロック含有熱可塑性エラストマーの具体例としては、ダイセル化学工業社の商品名「エポフレンドＡ１０１０」；クラレ社の商品名「セプトンＨＧ−２５２」；並びに三菱化学社の商品名「ラバロンＴ３３３９Ｃ」、「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。熱可塑性ポリウレタンエラストマーの具体例としては、クラレ社の商品名「クラミロン９１８０」及び「クラミロン９１９５」並びにＢＡＳＦポリウレタンエラストマーズ社の商品名「エラストランＸＮＹ９０Ａ」、「エラストランＸＮＹ９７Ａ」、「エラストランＸＮＹ５８５」及び「エラストランＸＮＹ８５Ａ」が挙げられる。熱可塑性ポリアミドエラストマーの具体例としては、東レ社の商品名「ペバックス２５３３」が挙げられる。熱可塑性ポリエステルエラストマーの具体例としては、東レ・デュポン社の商品名「ハイトレル４０４７」、「ハイトレル４７６７」及び「ハイトレル５５５７」並びに三菱化学社の商品名「プリマロイＡ１５００」が挙げられる。熱可塑性ポリオレフィンエラストマーの具体例としては、三井化学社の商品名「ミラストマーＭ４８００ＮＷ」並びに住友化学社の商品名「ＴＰＥ３６８２」及び「ＴＰＥ９４５５」が挙げられる。
【００３７】
中間層５の樹脂組成物に、比重調整等の目的で充填剤が配合されてもよい。好適な充填剤としては、酸化亜鉛、硫酸バリウム、炭酸カルシウム及び炭酸マグネシウムが例示される。充填剤として、高比重金属からなる粉末が配合されてもよい。高比重金属の具体例としては、タングステン及びモリブデンが挙げられる。充填剤の配合量は、中間層５の意図した比重が達成されるように適宜決定される。中間層５に、着色剤、架橋ゴム粉末又は合成樹脂粉末が配合されてもよい。
【００３８】
ゴルフボール２の反発性能の観点から、中間層５の硬度Ｈｍは、５０以上が好ましく、５５以上がより好ましい。ゴルフボール２の打球感の観点から、硬度Ｈｍは７０以下が好ましく、６５以下がより好ましい。
【００３９】
本発明では、「ＡＳＴＭ−Ｄ  ２２４０−６８」の規定に準拠して、中間層５の硬度Ｈｍ及びカバー６の硬度Ｈｃが測定される。測定には、スプリング式硬度計ショアＤ型が取り付けられた自動ゴム硬度測定器（高分子計器社の商品名「Ｐ１」）が用いられる。測定には、熱プレスで成形された、中間層５（又はカバー６）と同一の材料からなる、厚みが約２ｍｍであるシートが用いられる。測定に先立ち、シートは２３℃の温度下に２週間保管される。測定時には、３枚のシートが重ね合わされる。
【００４０】
ゴルフボール２の反発性能及び耐久性能の観点から、中間層５の厚みＴｍは、０．８ｍｍ以上が好ましく、１．０ｍｍ以上がより好ましい。ゴルフボール２の打球感の観点から、厚みＴｍは２．０ｍｍ以下が好ましく、１．８ｍｍ以下がより好ましい。
【００４１】
このゴルフボール２のカバー６は、軟質である。具体的には、カバー６の硬度Ｈｃは５７未満である。軟質なカバー６は、スピン速度を高める。軟質なカバー６を備えたゴルフボール２は、特にアイアンショットでのコントロール性能に優れる。コントロール性能の観点から、硬度Ｈｃは５６以下がより好ましく、５２以下が特に好ましい。ゴルフボール２の反発性能及び耐久性能の観点から、硬度Ｈｃは４０以上が好ましく、４５以上がより好ましい。
【００４２】
軟質なポリマーが用いられることにより、軟質なカバー６が得られる。好適なポリマーとしては、熱可塑性ポリウレタンエラストマーが挙げられる。熱可塑性ポリウレタンエラストマーは、ハードセグメントとしてのポリウレタン成分と、ソフトセグメントとしてのポリエステル成分又はポリエーテル成分とを含む。ポリウレタン成分の硬化剤としては、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー６の黄変が抑制される。しかも、脂環式ジイソシアネートは強度に優れるので、カバー６の傷つきが抑制される。２種以上のジイソシアネートが併用されてもよい。脂環式ジイソシアネートとしては、４，４’−ジフェニルメタンジイソシアネートの水素添加物である４，４’−ジシクロヘキシルメタンジイソシアネート（Ｈ１２ＭＤＩ）、キシリレンジイソシアネートの水素添加物である１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。芳香族ジイソシアネートとしては、４，４’−ジフェニルメタンジイソシアネート（ＭＤＩ）及びトルエンジイソシアネート（ＴＤＩ）が例示される。脂肪族ジイソシアネートとしては、ヘキサメチレンジイソシアネート（ＨＤＩ）が例示される。好ましいる熱可塑性ポリウレタンエラストマーの具体例としては、前述の商品名「エラストランＸＮＹ９０Ａ」、「エラストランＸＮＹ９７Ａ」、「エラストランＸＮＹ５８５」及び「エラストランＸＮＹ８５Ａ」が挙げられる。
【００４３】
基材ポリマーとして、熱可塑性ポリウレタンエラストマーに代えて、又は熱可塑性ポリウレタンエラストマーと共に、他の樹脂が用いられてもよい。他の樹脂としては、スチレンブロック含有熱可塑性エラストマー、熱可塑性ポリアミドエラストマー、熱可塑性ポリエステルエラストマー、熱可塑性ポリオレフィンエラストマー及びアイオノマー樹脂が例示される。熱可塑性ポリウレタンエラストマーと他の樹脂とが併用される場合、コントロール性能の観点から、熱可塑性ポリウレタンエラストマーが基材ポリマーの主成分とされる。全基材ポリマーに占める熱可塑性ポリウレタンエラストマーの比率は６０質量％以上が好ましく、７０質量％以上がより好ましい。
【００４４】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。カバー６の比重は、０．９０以上１．１５以下である。
【００４５】
ゴルフボール２のコントロール性能及び耐久性能の観点から、カバー６の厚みＴｃは０．３ｍｍ以上が好ましく、０．６ｍｍ以上がより好ましい。ゴルフボール２の反発性能の観点から、カバー６の厚みＴｃは１．５ｍｍ未満が好ましく、１．０ｍｍ未満がより好ましい。
【００４６】
ゴルフボール２の反発性能の観点から、カバー６の厚みＴｃに対する中間層５の厚みＴｍの比（Ｔｍ／Ｔｃ）は０．５以上が好ましく、１．０以上がより好ましく、１．５以上が特に好ましい。ゴルフボール２のコントロール性能及び打球感の観点から、比（Ｔｍ／Ｔｃ）は４．０以下が好ましく、３．５以下がより好ましい。
【００４７】
図２は図１のゴルフボール２が示された拡大平面図であり、図３はその正面図である。図２及び図３から明らかなように、全てのディンプル８の平面形状は円形である。図２及び図３では、ゴルフボール２の表面が１２個の等価なユニットに区画された場合の１個のユニットにおいて、符号によってディンプル８の種類が示されている。このゴルフボール２は、直径が５．１０ｍｍであるディンプルＡ’と、直径が５．００ｍｍであるディンプルＢ’と、直径が４．６０ｍｍであるディンプルＣと、直径が４．６０ｍｍであるディンプルＣ’と、直径が４．５０ｍｍであるディンプルＤと、直径が４．５０ｍｍであるディンプルＤ’と、直径が４．２０ｍｍであるディンプルＥと、直径が４．００ｍｍであるディンプルＦ''と、直径が３．００ｍｍであるディンプルＧを備えている。ディンプルＡ’の個数は２４個であり、ディンプルＢ’の個数は２４個であり、ディンプルＣの個数は３６個であり、ディンプルＣ’の個数は２４個であり、ディンプルＤの個数は７２個であり、ディンプルＤ’の個数は２４個であり、ディンプルＥの個数は６０個であり、ディンプルＦ''の個数は１４個であり、ディンプルＧの個数は２４個である。このゴルフボール２のディンプル８の総数は、３０２個である。
【００４８】
ディンプルＡ’、Ｂ’、Ｃ’及びＤ’は、ダブルラジアスディンプル８ｄである。ディンプルＣ、Ｄ、Ｅ及びＧは、トリプルラジアスディンプル８ｔである。ディンプルＦ''は、シングルラジアスディンプル８ｓである。
【００４９】
図４は、図１のゴルフボール２の一部が示された拡大断面図である。この図４には、ダブルラジアスディンプル８ｄが示されている。この図４には、ディンプル８ｄの面積重心及びゴルフボール２の中心を通過する平面に沿った断面が示されている。図４における上下方向は、ディンプル８ｄの深さ方向である。深さ方向は、ディンプル８ｄの面積重心からゴルフボール２の中心へ向かう方向である。図４において二点鎖線１２で示されているのは、仮想球である。仮想球１２の表面は、ディンプル８ｄが存在しないと仮定されたときのゴルフボール２の表面である。ディンプル８ｄは、仮想球１２から凹陥している。ランド１０は、仮想球１２と一致している。
【００５０】
このディンプル８ｄは、第一側壁面１４及びボトム面１６を備えている。第一側壁面１４はリング状である。ボトム面１６は、碗状である。第一側壁面１４は、点Ｅ１において、ランド１０と連続している。点Ｅ１は、ディンプル８ｄのエッジである。エッジＥ１は、ディンプル８ｄの平面形状を画定する。エッジＥ１が丸められてもよい。ボトム面１６は、第一側壁面１４のボトム側に位置している。ボトム面１６は、点Ｅ２において、第一側壁面１４と連続している。ボトム面１６は、第一側壁面１４と接している。
【００５１】
図４において、両矢印Ｄ１で示されているのはディンプル８ｄの直径であり、両矢印Ｄ２で示されているのはボトム面１６の最大直径である。この直径Ｄ１は、第一側壁面１４の最大直径でもある。ディンプル８ｄの直径Ｄ１は、２．０ｍｍ以上６．０ｍｍ以下が好ましい。直径Ｄ１が上記範囲未満であると、ディンプル効果が得られにくい。この観点から、直径Ｄ１は２．２ｍｍ以上がより好ましく、２．４ｍｍ以上が特に好ましい。直径Ｄ１が上記範囲を超えると、実質的に球であるというゴルフボール２の特徴が損なわれる。この観点から、直径Ｄ１は５．８ｍｍ以下がより好ましく、５．６ｍｍ以下が特に好ましい。
【００５２】
第一側壁面１４は、下向きに凸である。第一側壁面１４の最大直径線は、点Ｅ１を通過している。換言すれば、第一側壁面１４は、左右方向において、点Ｅ１よりも外側にはみ出してはいない。これにより、空気の滞留が防止される。第一側壁面１４の最下点は、点Ｅ２と一致している。換言すれば、第一側壁面１４は、点Ｅ１から点Ｅ２に至るまで、下向きに傾斜している。これにより、空気の滞留が防止される。
【００５３】
ボトム面１６は、下向きに凸である。ボトム面１６の最大直径線は、点Ｅ２を通過している。換言すれば、ボトム面１６は、左右方向において、点Ｅ２よりも外側にはみ出してはいない。これにより、空気の滞留が防止される。
【００５４】
図４において、矢印Ｒ１で示されているのは第一側壁面１４の曲率半径であり、矢印Ｒ２で示されているのはボトム面１６の曲率半径である。曲率半径Ｒ２は、曲率半径Ｒ１よりも大きい。換言すれば、第一側壁面１４は急な傾斜であり、ボトム面１６は緩やかな傾斜である。このディンプル８ｄでは、比（Ｒ２／Ｒ１）は５以上である。この比（Ｒ２／Ｒ１）は、従来のダブルラジアスディンプルの比（Ｒ２／Ｒ１）よりも大きい。このディンプル８ｄは、ゴルフボール２の飛行性能に寄与する。このディンプル８ｄがゴルフボール２の飛行性能に寄与する理由は詳細には不明であるが、比（Ｒ２／Ｒ１）が大きいことに起因して、第一側壁面１４を通過する空気の流れが乱され、抗力が低減されるためと推測される。飛行性能の観点から、比（Ｒ２／Ｒ１）は１０以上がより好ましく、１５以上が特に好ましい。比（Ｒ２／Ｒ１）が過大であるとボトム面１６での空気の流れが単調となるので、比（Ｒ２／Ｒ１）は５５以下が好ましく、５２以下がより好ましく、５０以下が特に好ましい。曲率半径Ｒ１は、０．３ｍｍ以上１０．０ｍｍ以下が好ましい。曲率半径Ｒ２は、２．０ｍｍ以上６０．０ｍｍ以下が好ましい。
【００５５】
ボトム面１６の最大直径Ｄ２は、ディンプル８ｄの直径Ｄ１の０．６０倍以上０．９５倍以下が好ましい。直径Ｄ２が上記範囲未満であると、ディンプル効果に対するボトム面１６の寄与率が不十分となる。この観点から、直径Ｄ２は、直径Ｄ１の０．７０倍以上がより好ましく、０．７５倍以上が特に好ましい。直径Ｄ２が上記範囲を超えると、ディンプル効果に対する第一側壁面１４の寄与率が不十分となる。この観点から、直径Ｄ２は、直径Ｄ１の０．９３倍以下がより好ましく、０．９０倍以下が特に好ましい。
【００５６】
図４において、両矢印ｄ１で示されているのは第一側壁面１４の深さであり、両矢印ｄ２で示されているのはボトム面１６の深さである。深さｄ１及び深さｄ２の合計は、ディンプル８ｄの深さｄである。
【００５７】
第一側壁面１４の深さｄ１は、ディンプル８ｄの深さｄの０．２０倍以上０．７０倍以下が好ましい。深さｄ１が上記範囲未満であると、ディンプル効果に対する第一側壁面１４の寄与率が不十分となる。この観点から、深さｄ１は深さｄの０．２２倍以上がより好ましく、０．２５倍以上が特に好ましい。深さｄ１が上記範囲を超えると、ディンプル効果に対するボトム面１６の寄与率が不十分となる。この観点から、深さｄ１は深さｄの０．６８倍以下がより好ましく、０．６５倍以下が特に好ましい。
【００５８】
図５は、図１のゴルフボール２の一部が示された拡大断面図である。この図５には、トリプルラジアスディンプル８ｔが示されている。このディンプル８ｔは、第一側壁面１８、第二側壁面２０及びボトム面２２を備えている。第一側壁面１８及び第二側壁面２０はリング状である。ボトム面２２は、碗状である。第一側壁面１８は、エッジＥ１においてランド１０と連続している。エッジＥ１が丸められてもよい。第二側壁面２０は、第一側壁面１８のボトム側に位置している。第二側壁面２０は、点Ｅ２において、第一側壁面１８と連続している。エッジＥ２が丸められてもよい。ボトム面２２は、第二側壁面２０のボトム側に位置している。ボトム面２２は、点Ｅ３において、第二側壁面２０と連続している。ボトム面２２は、第二側壁面２０と接している。
【００５９】
図５において、両矢印Ｄ１で示されているのはディンプル８ｔの直径であり、両矢印Ｄ２で示されているのは第二側壁面２０の最大直径であり、両矢印Ｄ３で示されているのはボトム面２２の最大直径である。この直径Ｄ１は、第一側壁面１８の最大直径でもある。ディンプル８ｔの直径Ｄ１は、２．０ｍｍ以上６．０ｍｍ以下が好ましい。直径Ｄ１が上記範囲未満であると、ディンプル効果が得られにくい。この観点から、直径Ｄ１は２．２ｍｍ以上がより好ましく、２．４ｍｍ以上が特に好ましい。直径Ｄ１が上記範囲を超えると、実質的に球であるというゴルフボール２の特徴が損なわれる。この観点から、直径Ｄ１は５．８ｍｍ以下がより好ましく、５．６ｍｍ以下が特に好ましい。
【００６０】
図５において二点鎖線２４で示されているのは、仮想ディンプルである。仮想ディンプル２４の断面形状は、円弧である。この円弧の曲率半径は、図５において、符号Ｒｘで示されている。この仮想ディンプル２４は、シングルラジアスディンプルである。仮想ディンプル２４の直径は、Ｄ１である。換言すれば、仮想ディンプル２４の直径とトリプルラジアスディンプル８ｔの直径とは、同一である。仮想ディンプル２４は、その容積がトリプルラジアスディンプル８ｔの容積と同一になるように想定される。仮想曲率半径Ｒｘは、通常は５．０ｍｍ以上２５．０ｍｍ以下である。
【００６１】
第一側壁面１８は、下向きに凸である。第一側壁面１８の曲率半径Ｒ１は、仮想曲率半径Ｒｘと同一か、それよりも大きい。換言すれば、第一側壁面１８は緩やかに湾曲している。ランド１０を通過した空気は、第一側壁面１８に沿って流れる。第一側壁面１８の湾曲は緩やかなので、ランド１０からディンプル８ｔの中心に向かって、空気が円滑に流れ込む。湾曲が緩やかな第一側壁面１８は、エッジＥ１の近傍の応力集中を緩和する。このトリプルラジアスディンプル８ｔにより、ゴルフボール２がショートアイアンで打撃されたときのカバー６の削れが防止される。トリプルラジアスディンプル８ｔは、ゴルフボール２の耐擦傷性能に寄与する。空気の円滑な流れの観点及び耐擦傷性能の観点から、曲率半径Ｒ１は７．０ｍｍ以上が好ましく、８．０ｍｍ以上が特に好ましい。曲率半径Ｒ１は、３０．０ｍｍ以下が好ましい。
【００６２】
第一側壁面１８の最大直径線は、点Ｅ１を通過している。換言すれば、第一側壁面１８は、左右方向において、点Ｅ１よりも外側にはみ出してはいない。これにより、空気の滞留が防止される。第一側壁面１８の最下点は、点Ｅ２と一致している。換言すれば、第一側壁面１８は、点Ｅ１から点Ｅ２に至るまで、下向きに傾斜している。これにより、空気の滞留が防止される。
【００６３】
第二側壁面２０は、下向きに凸である。第二側壁面２０の曲率半径Ｒ２は、仮想曲率半径Ｒｘよりも小さい。第一側壁面１８を通過した空気は、第二側壁面２０に沿って流れる。空気は、第二側壁面２０によって急激に方向を変えられる。この方向の変化は、ディンプル効果を高める。ディンプル効果の観点から、曲率半径Ｒ２は仮想曲率半径Ｒｘの０．４０倍以下が好ましく、０．３０倍以下がより好ましく、０．２５倍以下が特に好ましい。曲率半径Ｒ２は仮想曲率半径Ｒｘの０．１０倍以上が好ましい。曲率半径Ｒ２は、１．５ｍｍ以上５．０ｍｍ以下が好ましい。
【００６４】
第二側壁面２０の最大直径線は、点Ｅ２を通過している。換言すれば、第二側壁面２０は、左右方向において、点Ｅ２よりも外側にはみ出してはいない。これにより、空気の滞留が防止される。第二側壁面２０の最下点は、点Ｅ３と一致している。換言すれば、第二側壁面２０は、点Ｅ２から点Ｅ３に至るまで、下向きに傾斜している。これにより、空気の滞留が防止される。
【００６５】
ボトム面２２は、下向きに凸である。ボトム面２２の曲率半径Ｒ３は、仮想曲率半径Ｒｘと同一か、それよりも大きい。換言すれば、ボトム面２２は緩やかに湾曲している。第二側壁面２０を通過した空気は、ボトム面２２に沿って流れる。空気は、このボトム面２２によって円滑に反対側の第二側壁面２０へと導かれる。空気は、反対側の第二側壁面２０によって急激に方向を変えられる。この方向の変化は、ディンプル効果を高める。円滑な空気の流れの観点から、ボトム面２２の曲率半径Ｒ３は仮想曲率半径Ｒｘの１．１０倍以上が好ましく、１．２０倍以上がより好ましい。ボトム面２２の曲率半径Ｒ３は仮想曲率半径Ｒｘの１．７０倍以下が好ましい。曲率半径Ｒ３は７．０ｍｍ以上が好ましく、８．０ｍｍ以上が特に好ましい。曲率半径Ｒ３は、３５．０ｍｍ以下が好ましい。
【００６６】
ボトム面２２の最大直径線は、点Ｅ３を通過している。換言すれば、ボトム面２２は、左右方向において、点Ｅ３よりも外側にはみ出してはいない。これにより、空気の滞留が防止される。
【００６７】
第二側壁面２０の最大直径Ｄ２は、ディンプル８ｔの直径Ｄ１の０．６０倍以上０．９５倍以下が好ましい。直径Ｄ２が上記範囲未満であると、ディンプル効果に対する第二側壁面２０又はボトム面２２の寄与率が不十分となる。この観点から、直径Ｄ２は、直径Ｄ１の０．７０倍以上がより好ましく、０．７５倍以上が特に好ましい。直径Ｄ２が上記範囲を超えると、ディンプル効果に対する第一側壁面１８の寄与率が不十分となる。この観点から、直径Ｄ２は、直径Ｄ１の０．９３倍以下がより好ましく、０．９０倍以下が特に好ましい。
【００６８】
ボトム面２２の最大直径Ｄ３は、直径Ｄ２の０．６０倍以上０．９５倍以下が好ましい。直径Ｄ３が上記範囲未満であると、ディンプル効果に対するボトム面２２の寄与率が不十分となる。この観点から、直径Ｄ３は、直径Ｄ２の０．７０倍以上がより好ましく、０．７５倍以上が特に好ましい。直径Ｄ３が上記範囲を超えると、ディンプル効果に対する第二側壁面２０の寄与率が不十分となる。この観点から、直径Ｄ３は、直径Ｄ２の０．９３倍以下がより好ましく、０．９０倍以下が特に好ましい。
【００６９】
図５において両矢印ｄ１で示されているのは第一側壁面１８の深さであり、両矢印ｄ２で示されているのは第二側壁面２０の深さであり、両矢印ｄ３で示されているのはボトム面２２の深さである。深さｄ１、深さｄ２及び深さｄ３の合計は、ディンプル８ｔの深さｄである。
【００７０】
第一側壁面１８の深さｄ１は、ディンプル８ｔの深さｄの０．１０倍以上０．５０倍以下が好ましい。深さｄ１が上記範囲未満であると、ディンプル効果に対する第一側壁面１８の寄与率が不十分となる。この観点から、深さｄ１は深さｄの０．１５倍以上がより好ましく、０．２０倍以上が特に好ましい。深さｄ１が上記範囲を超えると、ディンプル効果に対する第二側壁面２０又はボトム面２２の寄与率が不十分となる。この観点から、深さｄ１は深さｄの０．４５倍以下がより好ましく、０．４０倍以下が特に好ましい。
【００７１】
第二側壁面２０の深さｄ２は、ディンプル８ｔの深さｄの０．１０倍以上０．６０倍以下が好ましい。深さｄ２が上記範囲未満であると、ディンプル効果に対する第二側壁面２０の寄与率が不十分となる。この観点から、深さｄ２は深さｄの０．１５倍以上がより好ましく、０．２０倍以上が特に好ましい。深さｄ１が上記範囲を超えると、ディンプル効果に対する第一側壁面１８又はボトム面２２の寄与率が不十分となる。この観点から、深さｄ２は深さｄの０．５５倍以下がより好ましく、０．５０倍以下が特に好ましい。
【００７２】
ボトム面２２の深さｄ３は、ディンプル８ｔの深さｄの０．０５倍以上０．５０倍以下が好ましい。深さｄ３が上記範囲未満であると、ディンプル効果に対するボトム面２２の寄与率が不十分となる。この観点から、深さｄ３は深さｄの０．１０倍以上がより好ましく、０．１５倍以上が特に好ましい。深さｄ３が上記範囲を超えると、ディンプル効果に対する第一側壁面１８又は第二側壁面２０の寄与率が不十分となる。この観点から、深さｄ２は深さｄの０．４５倍以下がより好ましく、０．４０倍以下が特に好ましい。
【００７３】
図６は、図１のゴルフボール２の一部が示された拡大断面図である。この図６には、シングルラジアスディンプル８ｓが示されている。このシングルラジアスディンプル８ｓは、断面が円弧状の表面を備えている。このシングルラジアスディンプル８ｓは、エッジＥ１においてランド１０と連続している。エッジＥ１が丸められてもよい。図６において、両矢印Ｄ１で示されているのは直径であり、両矢印ｄ１で示されているのは深さであり、矢印Ｒ１で示されているのは曲率半径である。
【００７４】
このゴルフボール２は前述のように軟質なカバー６を備えるので、このゴルフボール２はコントロール性能に優れる。このゴルフボール２では、ダブルラジアスディンプル８ｄとトリプルラジアスディンプル８ｔとの混在により、極めて優れたディンプル効果が発揮される。軟質なカバー６は飛行性能の点では不利であるが、このゴルフボール２では、ディンプル８が飛行性能を補う。飛行性能の観点から、ディンプル８の総数に対し、ダブルラジアスディンプル８ｄの数の比率Ｐｄが２０％以上に設定され、トリプルラジアスディンプル８ｔの数の比率Ｐｔが５０％以上に設定される必要がある。ディンプル８の総数に対するシングルラジアスディンプル８ｓの比率Ｐｓは、ゼロであってもよい。飛行性能の観点から、比率Ｐｄは２４％以上がより好ましく、３０％以上が特に好ましい。耐擦傷性能の観点から、比率Ｐｄは４２％以下が好ましく、４０％以下がより好ましく、３８％以下が特に好ましい。飛行性能及び耐擦傷性能の観点から、比率Ｐｔは５５％以上が好ましい。比率Ｐｔは、８０％以下である。
【００７５】
ダブルラジアスディンプル８ｄ、トリプルラジアスディンプル８ｔ及びシングルラジアスディンプル８ｓの面積ｓは、無限遠からゴルフボール２の中心を見た場合の、輪郭線に囲まれた領域の面積である。円形ディンプルの場合、面積ｓは下記数式によって算出される。
s = (D1 / 2)２ * π
図２及び図３に示されたゴルフボール２では、ディンプルＡ’の面積は２０．４３ｍｍ２であり、ディンプルＢ’の面積は１９．６３ｍｍ２であり、ディンプルＣの面積は１６．６２ｍｍ２であり、ディンプルＣ’の面積は１６．６２ｍｍ２であり、ディンプルＤの面積は１５．９０ｍｍ２であり、ディンプルＤ’の面積は１５．９０ｍｍ２であり、ディンプルＥの面積は１３．８５ｍｍ２であり、ディンプルＦ''の面積は１２．５７ｍｍ２であり、ディンプルＧの面積は７．０７ｍｍ２である。
【００７６】
本発明では、仮想球１２の表面積に対する全てのディンプル８の合計面積の比率は、占有率と称される。十分なディンプル効果が得られるとの観点から、占有率は７０％以上が好ましく、７２％以上がより好ましく、７４％以上が特に好ましい。占有率は、９０％以下が好ましい。図２及び図３に示されたゴルフボール２では、ディンプル８の合計面積は４６６２．２ｍｍ２である。このゴルフボール２の仮想球１２の表面積は５７２８．０ｍｍ２なので、占有率は８１．４％である。
【００７７】
本発明において「ディンプルの容積」とは、ディンプル８の輪郭を含む平面とディンプル８の表面とに囲まれた部分の容積を意味する。ディンプル８の総容積は、２５０ｍｍ３以上４００ｍｍ３以下が好ましい。総容積が上記範囲未満であると、ゴルフボール２がホップしやすい。この観点から、総容積は２６０ｍｍ３以上がより好ましく、２７０ｍｍ３以上が特に好ましい。総容積が上記範囲を超えると、ゴルフボール２がドロップしやすい。この観点から、総容積は３９０ｍｍ３以下がより好ましく、３８０ｍｍ３以下が特に好ましい。
【００７８】
ディンプル８の深さｄは、０．０７ｍｍ以上０．４０ｍｍ以下が好ましい。深さｄが上記範囲未満であると、ゴルフボール２がホップしやすい。この観点から、深さｄは０．１０ｍｍ以上がより好ましく、０．１２ｍｍ以上が特に好ましい。深さｄが上記範囲を超えると、ゴルフボール２がドロップしやすい。この観点から、深さｄは０．３５ｍｍ以下がより好ましく、０．３０ｍｍ以下が特に好ましい。
【００７９】
ディンプル８の総数は、２００個以上５００個以下が好ましい。総数が上記範囲未満であると、ディンプル効果が得られにくい。この観点から、総数は２４０個以上がより好ましく、２６０個以上が特に好ましい。総数が上記範囲を超えると、個々のディンプル８のサイズが小さいことに起因してディンプル効果が得られにくい。この観点から、総数は４８０個以下がより好ましく、４６０個以下が特に好ましい。
【実施例】
【００８０】
以下、実施例によって本発明の効果が明らかにされるが、この実施例の記載に基づいて本発明が限定的に解釈されるべきではない。
【００８１】
［実施例１］
１００質量部のポリブタジエン（ジェイエスアール社の商品名「ＢＲ−７３０」）、２７質量部のアクリル酸亜鉛、５質量部の酸化亜鉛、適量の硫酸バリウム、０．３質量部のビス（ペンタブロモフェニル）ジスルフィド及び０．７質量部のジクミルパーオキサイドを混練し、ゴム組成物を得た。このゴム組成物を共に半球状キャビティを備えた上型及び下型からなる金型に投入し、１７０℃で３０分間加熱して、直径が３７．１ｍｍであるコアを得た。一方、下記表２に示されるタイプｃの樹脂組成物を調製した。上記コアを金型に投入し、コアの周囲に上記樹脂組成物を射出成形法により注入して、厚みが１．８ｍｍである中間層を成形した。さらに、下記表３に示されるタイプｆの樹脂組成物を調製した。上記コア及び中間層からなる球体を、内周面に多数の突起を備えた金型に投入し、球体の周囲に上記樹脂組成物を射出成形法により注入して、厚みが１．０ｍｍであるカバーを成形した。カバーには、突起の形状が反転した形状のディンプルが多数形成された。このカバーに塗装を施して、直径が４２．７ｍｍであり質量が約４５．４ｇである実施例１のゴルフボールを得た。このゴルフボールでは、ディンプル総容積は約３２０ｍｍ３であり、表面積占有率は約８１％である。このゴルフボールのディンプルパターンは、下記表５に示されるタイプIIIである。このゴルフボールのディンプルＦ''は、射出成形用金型のホールドピン及びベントピンの先端に相当する。
【００８２】
［実施例２から４及び比較例１から５］
コア、中間層、カバー及びディンプルの仕様を下記表６及び表７に示される通りとした他は実施例１と同様にして、実施例２から４及び比較例１から５のゴルフボールを得た。コアのゴム組成物の詳細が下記表１に示されており、中間層の樹脂組成物の詳細が下記表２に示されており、カバーの樹脂組成物の詳細が下記表３に示されており、ディンプルの仕様の詳細が下記表４及び表５に示されている。
【００８３】
【表１】
2006187476.tif 000003
【００８４】
【表２】
2006187476.tif 000004
【００８５】
【表３】
2006187476.tif 000005
【００８６】
【表４】
2006187476.tif 000006
【００８７】
【表５】
2006187476.tif 000007
【００８８】
［反発係数の測定］
ゴルフボールに、質量が２００ｇであるアルミニウム製の中空円柱を４５ｍ／ｓの速度で衝突させた。衝突前後における中空円柱の速度及び衝突後のゴルフボールの速度を計測し、ゴルフボールの反発係数を求めた。１２回測定されて得られたデータの平均値が、比較例１のゴルフボールの反発係数が１．００とされたときの指数として、下記表６及び表７に示されている。
【００８９】
［飛距離テスト］
ゴルフラボラトリー社のスイングマシンに、メタルヘッドを備えたドライバー（住友ゴム工業株式会社の商品名「ＸＸＩＯ」、シャフト硬度：Ｓ、ロフト角：１０°）を装着した。ヘッド速度が４５ｍ／ｓｅｃである条件でゴルフボールを打撃して、発射地点から静止地点までの距離を測定した。１２回の測定の平均値が、下記の表６及び表７に示されている。
【００９０】
［耐擦傷性能の評価］
上記スイングマシンに、サンドウエッジ（住友ゴム工業株式会社の商品名「ＸＸＩＯ」、シャフト硬度：Ｓ、ロフト角：５６°）を装着した。ヘッド速度が２１ｍ／ｓｅｃである条件でゴルフボールを打撃し、ゴルフボールの外観を目視で観察した。２０個のゴルフボールを観察し、「Ａ」から「Ｄ」の４ランクの格付けを行った。この結果が、下記の表６及び表７に示されている。Ａランクが最も好ましい。
【００９１】
［コントロール性能の評価］
１０名のゴルファーにピッチングウエッジでゴルフボールを打撃させ、コントロール性能の良否を評価させた。この結果が、下記表６及び表７に示されている。
【００９２】
【表６】
2006187476.tif 000008
【００９３】
【表７】
2006187476.tif 000009
【００９４】
表６及び表７に示されるように、実施例のゴルフボールは飛行性能、耐擦傷性能及びコントロール性能に優れている。この評価結果から、本発明の優位性は明らかである。
【産業上の利用可能性】
【００９５】
本発明は、ゴルフ場でのプレーに用いられるゴルフボール及びドライビングレンジで用いられるゴルフボールに適用されうる。
【図面の簡単な説明】
【００９６】
【図１】図１は、本発明の一実施形態に係るゴルフボールが示された模式的断面図である。
【図２】図２は、図１のゴルフボールが示された拡大平面図である。
【図３】図３は、図２のゴルフボールが示された正面図である。
【図４】図４は、図１のゴルフボールの一部が示された拡大断面図である。
【図５】図５は、図１のゴルフボールの一部が示された拡大断面図である。
【図６】図６は、図１のゴルフボールの一部が示された拡大断面図である。
【図７】図７は、本発明の実施例４に係るゴルフボールが示された平面図である。
【図８】図８は、図７のゴルフボールが示された正面図である。
【図９】図９は、比較例２に係るゴルフボールが示された平面図である。
【図１０】図１０は、図９のゴルフボールが示された正面図である。
【図１１】図１１は、比較例３に係るゴルフボールが示された平面図である。
【図１２】図１２は、図１１のゴルフボールが示された正面図である。
【符号の説明】
【００９７】
２・・・ゴルフボール
４・・・コア
５・・・中間層
６・・・カバー
８、８ｄ、８ｔ、８ｓ・・・ディンプル
１０・・・ランド
１２・・・仮想球
１４、１８・・・第一側壁面
１６、２２・・・ボトム面
２０・・・第二側壁面
２４・・・仮想ディンプル
【図１】
2006187476.tif 000010
【図２】
2006187476.tif 000011
【図３】
2006187476.tif 000012
【図４】
2006187476.tif 000013
【図５】
2006187476.tif 000014
【図６】
2006187476.tif 000015
【図７】
2006187476.tif 000016
【図８】
2006187476.tif 000017
【図９】
2006187476.tif 000018
【図１０】
2006187476.tif 000019
【図１１】
2006187476.tif 000020
【図１２】
2006187476.tif 000021